(57)【特許請求の範囲】
【請求項１】
液透過性の表面シート、液不透過性の防漏シート、及び液保持性の吸収体を有する、実質的に縦長の吸収性本体と、該吸収性本体の裏面側に配されたシート状部材とを備え、ウエスト開口部及び一対のレッグ開口部が形成されているパンツ型の使い捨ておむつにおいて、
前記シート状部材は、前記吸収体の側縁部に沿って、その外方に延出するフラップ部を有し、該フラップ部には、その長手方向に亘って弾性部材が配され、該弾性部材の一部は、前記吸収性本体の長手方向の中央部分において、前記吸収体の裏面側に位置しており、該フラップ部は、その長手方向の両端部が前記吸収性本体の表面側に折り返され、その折り返し部が前記弾性部材と共に固定されている使い捨ておむつ。
【請求項２】
前記フラップ部における延出方向先端の自由端縁に、該自由端縁に沿って補助弾性部材が配されている請求項１記載の使い捨ておむつ。
【発明の詳細な説明】
【０００１】
【発明の属する技術分野】
本発明は、漏れ防止性及びフィット性に優れ、しかも製造上必要な部品の点数を抑制して安価に製造することのできるパンツ型使い捨ておむつに関する。
【従来の技術及び発明が解決しようとする課題】
【０００２】
使い捨ておむつにおいては、漏れを効果的に防止することが重要な課題であるため、吸収体の左右両側に立体ガードを形成したものが種々提案されている。
かかる立体ガードは、その自由縁端が上方に向けて起立することにより、着用者にフィットすると共に立体ガードと表面シートとの間でポケットを形成し、該ポケットに排泄物を一時ストックすることにより、表面シートの表面を排泄物が流れて漏れが生じることを防止するものである。
また、漏れを防止するためには、脚廻りのフィット性を向上させることも重要であり、弾性部材を脚廻りに配設することにより、脚廻りのフィット性を向上させる技術も知られている。
しかし、従来の使い捨ておむつにおいては、立体ガード形成用のシート材は、脚廻りの弾性部材が固定されるシート材とは別部材として用意され、脚廻り用の弾性部材とは、別の工程において、吸収体の表面側に固定されていた。
そのため、かかる使い捨ておむつにおいては、その製造工程が複雑であり、製造コストの低減を図ることが困難であった。
【０００３】
従って、本発明の目的は、漏れ防止性及びフィット性に優れ、しかも製造上必要な部品の点数を抑制して安価に製造することのできる使い捨ておむつを提供することにある。
【０００４】
【課題を解決するための手段】
本発明は、液透過性の表面シート、液不透過性の防漏シート、及び液保持性の吸収体を有する、実質的に縦長の吸収性本体と、該吸収性本体の裏面側に配されたシート状部材とを備え、ウエスト開口部及び一対のレッグ開口部が形成されているパンツ型の使い捨ておむつにおいて、前記シート状部材は、前記吸収体の側縁部に沿って、その外方に延出するフラップ部を有し、該フラップ部には、その長手方向に亘って弾性部材が配され、該弾性部材の一部は、前記吸収性本体の長手方向の中央部分において、前記吸収体の裏面側に位置しており、該フラップ部は、その長手方向の両端部が前記吸収性本体の表面側に折り返され、その折り返し部が前記弾性部材と共に固定されている使い捨ておむつを提供することにより、上記の目的を達成したものである。
【０００５】
【発明の実施の形態】
以下、本発明の使い捨ておむつの好ましい一実施形態について説明する。
第１の実施形態の使い捨ておむつ１は、図１〜４に示すように、液透過性の表面シート２１、液不透過性の防漏シート２２、及び液保持性の吸収体２３を有する、実質的に縦長の吸収性本体２と、該吸収性本体２の裏面側に配されたシート状部材３とを備えており、着用時に着用者の腹側に位置する腹側部Ａ及び背側に位置される背側部Ｂそれぞれの両側縁部Ａ１，Ｂ１及びＡ２，Ｂ２とが接合されて、ウエスト開口部４及び一対のレッグ開口部５，５が形成されている。
【０００６】
吸収性本体２は、吸収体２３を表面シート２１と防漏シート２３との間に狭持固定してなる。また、吸収体２３は、長手方向中央がくびれた砂時計状である。表面シート２１及び防漏シート２２は、吸収体２３よりも大きな外形寸法を有し、吸収体２３の幅方向及び長手方向に延出する延出部において互いに接合されている。
【０００７】
吸収性本体２は、その長手方向を、使い捨ておむつの長手方向に一致させるようにして、おむつの両端部間に亘るように配されている。
吸収性本体２の裏面側には、弾性部材固定用のシート状部材３と、外層シート６とが、この順に配されている。
シート状部材３は、吸収体２３よりも広い幅の長方形状のシートであり、その長手方向を吸収性本体２の長手方向に一致させて配されている。
外層シート６は、二枚のシートを積層接着してなる略長方形状の積層シートで、シート状部材３よりも長手方向の長さが長く、また、左右両側縁部に凹状のレッグ縁部６ａ，６ａが形成されている。
【０００８】
而して、シート状部材３は、吸収性本体２における吸収体２３の側縁部２３ａに沿って、その外方に延出するフラップ部３１を有している。尚、図３には、左右一対のフラップ部３１，３１を、折り返さずに左右に開いた状態で、仮想線で図示してある。
各フラップ部３１には、その長手方向に亘って弾性部材７が配されており、その弾性部材７の一部は、吸収性本体２の長手方向の中央部分において、吸収体２３の裏面側に位置している。また、弾性部材７は、着用時に着用者の脚の付け根の廻りに沿うように配されている。ここで、吸収性本体２の長手方向の中央部分とは、脚廻りに配されるレッグ縁部６ａ，６ａ間に存する部分、好ましくは、着用者の股間に配される、股下部及びその近傍をいう。
【０００９】
より具体的には、複数の弾性部材７１，７２が、それぞれ、その長手方向の中間部分７１ｂ，７２ｂが吸収体２３の裏面側に位置し、その前方部分７１ａ，７２ａ及び後方部分７１ｃ，７２ｃが、それぞれフラップ部３１に位置するように配されている。
本実施形態における各弾性部材７１，７２の前方部分と後方部分とは、左右両側の異なる側のフラップ部３１，３１に配されており、また、該前方部分及び該後方部分は、おむつの前後の異なる側に配されている。
【００１０】
各弾性部材７１，７２は、その中間部分７１ｂ，７２ｂにおいては、シート状部材３と防漏シート２２との間に挟持固定されており、その前方部分７１ａ，７２ａ及び後方部分７１ｃ，７２ｃにおいては、フラップ部３１の先端部を、先端に自由端縁３２が形成されるように折り返して接着してなる接着部３３，３３に、挟持固定されている。
一対の弾性部材７１，７２は、吸収体２３の裏面側においてＸ字状に交叉するように、それぞれ、吸収体２３の裏面側において使い捨ておむつ１をその幅方向に横切って配されている。そして、一対の弾性部材７１，７２は、それぞれ、おむつの幅方向中央且つ長さ方向中央において交差されて、一方の弾性部材７１における前方部分７１ａは、一方のフラップ部３１に位置し、且つ後方部分７１ｃは、他方のフラップ部３１に位置しており、他方の弾性部材７２における前方部分７２ａは、他方のフラップ部３１に位置し、且つ後方部分７２ｃは一方のフラップ部３１に位置している。
【００１１】
一方のフラップ部（図２の左側のフラップ部）について見ると、該フラップ部３１においては、腹側部Ａ寄りの部分と背側部Ｂ寄りの部分とでは、異なる弾性部材７２と弾性部材７１が配されているが、両フラップ部の長手方向に該弾性部材７２と該弾性部材７１とが実質的に連続して、物理的に連続した弾性部材と同様に機能するようになっている。他方のフラップ部についても、同様に、弾性部材７２と弾性部材７１とが実質的に連続して、物理的に連続した弾性部材と同様に機能するようになっている。本明細書において、「長手方向に亘って弾性部材が配されている」とは、複数の弾性部材が、実質的に連続するように、フラップ部３１の長手方向に亘って配されている場合を含む。
【００１２】
尚、本実施形態における各弾性部材７１，７２は、それぞれ細帯状であり、各弾性部材７１，７２は、それぞれ互いに平行に近接させて複数本（二本）配されている。
また、各フラップ部３１における延出方向先端の自由端縁３２に、該自由端縁３２に沿って補助弾性部材８が配されている。各補助弾性部材８は、細帯状であり、前記フラップ部における接着部３３，３３に挟持固定されている。
【００１３】
フラップ部３１は、図２及び４に示すように、その長手方向の両端部３１ａ，３１ａが、吸収性本体２の表面側に折り返され、その折り返し部３４，３４が、前記弾性部材７と共に該吸収性本体２の表面側に固定されている。
より具体的には、フラップ部３１は、その長手方向に沿う中央部を折り曲げ基部として二つ折りされており、その折り返しによって、シート状部材３が二重に積層された折り返し部３４，３４が形成されている。
そして、折り返し部３４，３４は、それぞれ、吸収性本体２の裏面側から表面側に折り返された外層シート６の両端部６ｂと該吸収性本体２との間に挟持固定されている。
【００１４】
本実施形態の使い捨ておむつ１を構成する各部材の形成材料について説明すると、表面シート２１、防漏シート２２、前記吸収体２３、外層シート６、弾性部材７及び補助弾性部材８の形成材料としては、通常、使い捨ておむつに用いられるものを特に制限なく用いることができる。また、前記シート状部材３としては、市販の織物、編物、不織布、フィルム等を用いることができ、コスト、肌触り、耐水性の観点から、不織布が好ましく、特にスパンボンド不織布、メルトブローン不織布及びこれらを組み合わせたものが好ましい。
【００１５】
本実施形態の使い捨ておむつは、通常の展開型の使い捨ておむつと同様に使用することができる。
そして、本実施形態の使い捨ておむつ１においては、吸収性本体の裏面側に配されたシート状部材３の左右に延出するフラップ部３１に、上述の如く弾性部材７が配されており、該フラップ部３１の長手方向の両端部が前記吸収性本体の表面側に折り返され、この折り返し部が前記弾性部材７と共に固定してあるため、おむつの着用時に着用者の股下部に位置する、フラップ部３１の両端部３１ａ，３１ａ間に存する部分が起立し、起立した部分が立体ガードＧとして機能する。そのため、立体ガード形成用のシート材を別途設けることなく、排泄物の漏れを効果的に防止することができる。
【００１６】
また、本実施形態の使い捨ておむつ１においては、上述の如くしてフラップ部３１により立体ガードＧを形成させてあり、立体ガードを形成するシート材が吸収性本体２の表面側に固定されていないため、図３に示すように、吸収体２３の左右の側縁部の外方部分に、排泄物の保持用空間Ｈ，Ｈが大きな空間として形成される。
また、上述の如くしてフラップ部３１により立体ガードＧを形成させてあり、立体ガードを形成するシート材が吸収性本体２上に固定されていないため、フラップ部３１の自由縁端３２間の幅Ｗが大きくなる。そのため、着用者の排尿部に確実に吸収面を沿わせることができ、排泄物を直ぐに吸収させて排泄物が使い捨ておむつ内で流動するのを防ぐことができる。このため、漏れ防止性に優れている。
【００１７】
また、補助弾性部材８が上述の如く設けられているので、フラップ部３の中間部をより効果的に起立させることができ、このため、より漏れ防止性に優れたものとなっている。
【００１８】
更に、本実施形態に使い捨ておむつにおいては、弾性部材７が上述の如く、吸収性本体２の長手方向の中央部分において、吸収体２３の裏面側に位置しているため、おむつの一部が、着用者の肌側に緩やかに持ち上げられ、おむつが、図１に示すような、フィット性に優れた形態となる。即ち、弾性部材７は、フラップ部３１を起立させて立体ガードＧを形成する機能と、おむつをフィット性に優れた形状とし、その形状を維持する機能の二つの機能を有している。また、本実施形態においては、弾性部材７が、着用時に着用者の脚の付け根の廻りに沿うように配されているため、更にフィット性及び防漏性に優れたものとなっている。
【００１９】
次に、本実施形態の使い捨ておむつ１の製造方法の一例について説明する。
先ず、外層シート６上に、シート状部材３を積層し、そのシート状部材３の所定の位置に、弾性部材７及び補助弾性部材８を配設する。そして、弾性部材７及び補助弾性部材８が配設されたシート状部材３上に、常法に従って得た吸収性本体２を載置する。そして、吸収体２３の外方に延出する部分をフラップ部３１とし、該フラップ部３１の長手方向の両端部３１ａ，３１ａを、載置した吸収性本体２の表面側に、弾性部材７の両端部が位置する外縁部寄りの位置よりも内側の位置において折り返す。そして、折り返されて二層となったフラップ部３１の両端部３１ａ，３１ａを、弾性部材７，８と共に吸収性本体２の表面側に固定する。そして、着用時に着用者の腹側に位置する腹側部Ａ及び背側に位置される背側部Ｂそれぞれの両側縁部Ａ１，Ｂ１及びＡ２，Ｂ２とを接合して、使い捨ておむつ１を得る。
【００２０】
このように本実施形態の使い捨ておむつは、その製造の際に、立体ガード形成用の部材を別に製造して配設する必要がない。また、弾性部材７と補助弾性部材８の固定を同一の工程において行うことができる。従って、部品点数が減少し、製造工程の簡易化、単純化を図ることができる。
【００２１】
図５に、本発明の使い捨ておむつの他の実施形態の要部を示した。図５に要部のみ図示した各おむつは、弾性部材の配設の態様が異なる点を除いて、他の基本的な構成は図１〜図４に示した上述した実施形態におけるのと同様である。従って、以下には上述の実施形態と異なる点を特に説明し、同様の構成については説明を省略する。尚、特に説明しない点については上記の実施形態に関する説明が適宜適用される。
【００２２】
図５(b) に示すおむつにおいては、弾性部材７１，７２が、吸収体２３の裏面側に位置されている中間部分７１ｂ，７２ｂにおいて互いに近接しているが交叉していない。また、その前方部分７１ａ，７２ａと後方部分７１ｃ，７２ｃとが同じ側のフラップ部３１に位置している。尚、図５(a) は、フラップ部３１を折り返す前の状態を示す図であり、図５におけるＰはフラップ部３１の折曲線を示している。
【００２３】
また、図５(c) 又は(d) に示すおむつは、両弾性部材７１，７２の一方の弾性部材７１の前方部分７１ａ及び後方部分７１ｃが、共におむつの前方に位置し、他方の弾性部材７２の前方部分７２ａ及び後方部分７２ｃが、共におむつの後方部分に位置している。
図５(b) 〜(d) に示す各おむつによっても、上述した実施形態と同様の作用効果が奏し得られる。尚、補助弾性部材８は、配設することが好ましい。
【００２４】
【発明の効果】
本発明の使い捨ておむつは、漏れ防止性及びフィット性に優れ、しかも製造上必要な部品の点数を抑制して安価に製造することができるものである。
【図面の簡単な説明】
【図１】図１は、本発明の使い捨ておむつの一実施形態を示す斜視図である。
【図２】図２は、図１に示す使い捨ておむつを、平面状に展開した状態における表面シート側を示す平面図である。
【図３】図３は、図２のＸ−Ｘ線模式断面図である。
【図４】図４は、図２のＹ−Ｙ線模式断面図である。
【図５】図５は、本発明の使い捨ておむつの他の実施形態を示す要部概略図である。
【符号の説明】
１    使い捨ておむつ
２    吸収性本体
２１  表面シート
２２  防漏シート
２３  吸収体
３    弾性部材固定用のシート状部材
３１  フラップ部
３１ａ  長手方向の端部
３２  自由縁端
３４  折り返し部
６    外層シート
７    弾性部材
８    補助弾性部材
Ｇ    立体ガード
Ｈ    排泄物の保持用空間
Ａ    腹側部
Ｂ    背側部
【図１】
0003897488.tif 000002
【図２】
0003897488.tif 000003
【図３】
0003897488.tif 000004
【図４】
0003897488.tif 000005
【図５】
0003897488.tif 000006